(57)【要約】      （修正有）【課題】寝具のマットレスに用いるマットレス・ティッキング用ジャカード編地及びその編成方法を提供する。【解決手段】リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作るマットレス・ティッキング用ジャカード編地の製造方法である。ベースとなるバックグラウンドの編組織を変則的な綾柄とすることで織物のようにコシのあり、編み組織がしっかりした伸縮性のあるソフトで手触りの柔らかい編地が得られる。【選択図】図１ａ
2017089047.tif 000002
【特許請求の範囲】
【請求項１】
リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることを特徴とするマットレス・ティッキング用ジャカード編地の製造方法において、
基準となる針からコース方向に、
第１フィーダではシリンダー針を２針連続してニットし、対向するダイヤル針を１針ウエルトして２針連続してニットし以下繰り返す、
第２フィーダではシリンダー針を１針ウエルトし対向するダイヤル針を２針連続してニットし、対向するシリンダー針を２針連続してニットし対向するダイヤル針を１針ウエルトし以下繰り返す、
第３フィーダでシリンダー針を１針ニットし１針ウエルトし以下繰り返す、
第４フィーダでダイヤル針を１針ニットし対向するシリンダー針を２針連続してニットし対向するダイヤル針を１針ウエルトして１針ニットし以下繰り返す、
第５フィーダでシリンダー針を１針ニットし対向するダイヤル針を１針ウエルトして２針連続してニットし対向するシリンダー針を１針ニットし以下繰り返す、
第６フィーダでシリンダー針を１針ニットし１針ウエルトし以下繰り返す、
第７フィーダでは第２フィーダと同様にする、
第８フィーダでは第１フィーダと同様にする、
第９フィーダでは第３フィーダと同様にする、
第１０フィーダでは第５フィーダと同様にする、
第１１フィーダでは第４フィーダと同様にする、
第１２フィーダでは第６フィーダと同様にする、
以下フィーダ（ウエール）方向に繰り返すマットレス・ティッキング用ジャカード編地のバックグラウンド組織の製造方法。
【請求項２】
請求項１に記載の方法であって、第３フィーダ、第６フィーダ、第９フィーダ、第１２フィーダでシリンダー針に代ってダイヤル針で選針するマットレス・ティッキング用ジャカード編地のバックグラウンド組織の製造方法。
【請求項３】
請求項１に記載のバックグラウンド組織の製造方法を実施する過程において、第３フィーダ、第６フィーダ、第９フィーダ、第１２フィーダのダイヤル側でのジャガード柄と、それら以外のフィーダのシリンダー側でのブリスター柄を形成するマットレス・ティッキング用ジャカード編地のジャガード組織の製造方法。
【請求項４】
請求項２に記載のバックグラウンド組織の製造方法を実施する過程において、第３フィーダ、第６フィーダ、第９フィーダ、第１２フィーダのシリンダー側でのジャガード柄と、それら以外のフィーダのダイヤル側でのブリスター柄を形成するマットレス・ティッキング用ジャカード編地のジャガード組織の製造方法。
【請求項５】
請求項３または４に記載の方法であって、ジャガード柄とブリスター柄の目数の比率が１：２であるマットレス・ティッキング用ジャカード編地のジャガード組織の製造方法。
【請求項６】
請求項１のバックグラウンド組織の製造方法および請求項３のジャガード組織の製造方法を組み合わせたマットレス・ティッキング用ジャカード編地の製造方法。
【請求項７】
請求項２のバックグラウンド組織の製造方法および請求項４のジャガード組織の製造方法を組み合わせたマットレス・ティッキング用ジャカード編地の製造方法。
【請求項８】
請求項１のバックグラウンド組織の製造方法および請求項５のジャガード組織の製造方法を組み合わせたマットレス・ティッキング用ジャカード編地の製造方法。
【請求項９】
請求項２のバックグラウンド組織の製造方法および請求項５のジャガード組織の製造方法を組み合わせたマットレス・ティッキング用ジャカード編地の製造方法。
【請求項１０】
請求項６ないし９のいずれかに記載の方法であって、第１フィーダと第２フィーダ、第４フィーダと第５フィーダ、第７フィーダと第８フィーダ、第１０フィーダと第１１フィーダ、の間から中糸であるレイイン糸を挿入するマットレス・ティッキング用ジャカード編地の製造方法。
【請求項１１】
請求項１ないし１０のいずれかに記載の方法によって得られるマットレス・ティッキング用ジャカード編地。
【発明の詳細な説明】
【技術分野】
【０００１】
本発明は両面選針ジャガード編地であって、特に寝具のマットレスに用いるマットレス・ティッキング（mattress ticking：日本ではベッドカバーと呼ばれている）用ジャカード編地及びその編成方法に関する。
【背景技術】
【０００２】
一般的な両面選針丸編機で編成されるジャガード編地及びその編成方法の従来技術について、例えば、特開２００３−２８６６３６に係る「ジャガードダンボールニット編地、及びその編成方法」が公知である。
【０００３】
この従来技術公報は、編地表面に（ａ）ニット・ウエルトの１×１ロングステッチジャガード柄（ｂ）ニット・タックの１×１鹿の子ロングステッチジャガード柄（ｃ）ニット・ウエルトの少なくとも２色のジャガード柄、前記（ａ）−（ｃ）のうち、少なくとも１つのジャガード柄を出現させた編地及びその編成方法を記載している。
【先行技術文献】
【特許文献】
【０００４】
【特許文献１】特開２００３−２８６６３６（対応欧州出願EP1348788(A1)）
【発明の概要】
【発明が解決しようとする課題】
【０００５】
上記特許文献１に記載の編地は、スペーサ・ファブリックであって生地が厚すぎて、手触りも柔らかくなく寝具のマットレスに用いるマットレス・ティッキングの生地としては適していない。マットレス・ティッキングには織物のようにコシのあり、編み組織がしっかりした伸縮性のあるソフトで手触りの柔らかい編地が望まれている。
【０００６】
本発明は、この問題を解決するために行われたもので、寝具のマットレスに用いるマットレス・ティッキング用ジャカード編地及びその編成方法を提供することを目的とする。
【０００７】
本発明者らはマットレス・ティッキング用ジャカード編地に適応した編地を得るために、種々の編地を試行錯誤しながら編成し、本発明に到達した。
【課題を解決するための手段】
【０００８】
本発明は、リブ出合いの両面選針丸編機を使用し、シリンダー側でコンピュータ選針により任意の柄を作成すると共に、ダイヤル側でもコンピュータ選針により任意の柄を作成し、シリンダー側で得られた柄とダイヤル側で得られた柄を組合わせることにより任意の部分に任意の編組織を作ることを特徴とするマットレス・ティッキング用ジャカード編地の製造方法において、
基準となる針（例えば、図１ａ及び図２ａにおいて点線で示す位置）からコース方向に、
第１フィーダではシリンダー針を２針連続してニットし、対向するダイヤル針を１針ウエルトして２針連続してニットし以下繰り返す、
第２フィーダではシリンダー針を１針ウエルトし対向するダイヤル針を２針連続してニットし、対向するシリンダー針を２針連続してニットし対向するダイヤル針を１針ウエルトし以下繰り返す、
第３フィーダでシリンダー針を１針ニットし１針ウエルトし以下繰り返す、
第４フィーダでダイヤル針を１針ニットし対向するシリンダー針を２針連続してニットし対向するダイヤル針を１針ウエルトして１針ニットし以下繰り返す、
第５フィーダでシリンダー針を１針ニットし対向するダイヤル針を１針ウエルトして２針連続してニットし対向するシリンダー針を１針ニットし以下繰り返す、
第６フィーダでシリンダー針を１針ニットし１針ウエルトし以下繰り返す、
第７フィーダでは第２フィーダと同様にする、
第８フィーダでは第１フィーダと同様にする、
第９フィーダでは第３フィーダと同様にする、
第１０フィーダでは第５フィーダと同様にする、
第１１フィーダでは第４フィーダと同様にする、
第１２フィーダでは第６フィーダと同様にする、
以下フィーダ（ウエール）方向に繰り返すマットレス・ティッキング用ジャカード編地のバックグラウンド組織の製造方法である。本発明では、「バックグランド組織」は編地の無地の部分である。
【０００９】
本方法においては、第３フィーダ、第６フィーダ、第９フィーダ、第１２フィーダでシリンダー針に代ってダイヤル針で選針することができる。
【００１０】
好ましくは、第３フィーダ、第６フィーダ、第９フィーダ、第１２フィーダのダイヤル側でのジャガード柄と、それら以外のフィーダのシリンダー側でのブリスター柄とからなるジャガード組織を形成する。
【００１１】
また、好ましくは、第１フィーダと第２フィーダ、第４フィーダと第５フィーダ、第７フィーダと第８フィーダ、第１０フィーダと第１１フィーダ、の間から中糸であるレイイン糸を挿入する。
【００１２】
さらに、好ましくは、ジャガード組織でのジャガード柄とブリスター柄の目数の比率を１：２とする。
【００１３】
本発明は、上記方法により製造される編地も含む。本発明のマットレス・ティッキング用ジャカード編地は、1枚の編地の中に無地の部分であるバックグラウンド組織と柄の部分であるジャガード組織が混在している。
【発明の効果】
【００１４】
本発明によれば、ベースとなるバックグラウンドの編組織を変則的な綾柄とすることで、織物のようにコシのあり、編み組織がしっかりした伸縮性のあるソフトで手触りの柔らかい編地に加え、表面にブライト糸を使用したジャガード柄を、裏面にジャガード柄に対応したブリスター柄を挿入することにより、表面には光沢があるジャカード柄が、裏面には袋状のブリスター柄が得られ意匠性のあるマットレス・ティッキングに最適な編地が得られる。
【図面の簡単な説明】
【００１５】
【図１ａ】実施例1のバックグラウンド組織を示す編地分解図である。
【図１ｂ】実施例1のジャガード組織を示す編地分解図である。
【図２ａ】実施例1のバックグラウンド組織を示す柄展開図である。
【図２ｂ】実施例1のジャガード組織を示す柄展開図である。
【図３】実施例1の第１フィーダから第３フィーダまでの３本の糸を重ね合わしたジャガード組織を示す編地分解図である。
【図４ａ】比較例1のバックグラウンド組織を示す編地分解図である。
【図４ｂ】比較例1のジャガード組織を示す編地分解図である。
【図５ａ】比較例1のバックグラウンド組織を示す柄展開図である。
【図５ｂ】比較例1のジャガード組織を示す柄展開図である。
【図６ａ】比較例2のバックグラウンド組織を示す編地分解図である。
【図６ｂ】比較例2のジャガード組織を示す編地分解図である。
【図７ａ】比較例2のバックグラウンド組織を示す柄展開図である。
【図７ｂ】比較例2のジャガード組織を示す柄展開図である。
【発明を実施するための形態】
【００１６】
以下、添付の図面に基づき、本発明の実施例を説明する。
【実施例１】
【００１７】
織物調マットレス・ティッキング用ジャカード編地
ダブルニットのコンピュータ丸編機（福原精機製作所製  V-LEC6DSIB  ３６インチ  ２８ゲージ  ６０フィーダ）を使用して編成した編地である。両面選針丸編機を使用しているので、シリンダー側でコンピュータ選針により任意の柄を作成すると共に、ダイヤル側でもコンピュータ選針により任意の柄を作成し、シリンダー側で得られた柄とダイヤル側で得られた柄を組合せることにより任意の部分に任意の編組織を作ることが可能である。
【００１８】
図１a、図１ｂ、図４a、図４ｂ、図６a及び図６ｂの編地分解図では、シリンダー針とダイヤル針の出合いはリブ出合いとし、説明の便宜上、シリンダー針は、右から左へＢ針・Ｃ針・Ｄ針・Ｅ針の順序で配列し、ダイヤル針も同様に、右から左へＢ針・Ｃ針・Ｄ針・Ｅ針の順序で配列する。ダイヤルのＥ針とＢ針の間にシリンダーのＢ針がリブ出合いとなるように設定されている。
【００１９】
実施例１ではフィーダ３，６，９，１２・・・において、ブライト・ポリエステル糸で編成し、希望する柄をダイヤル側でジャガード柄を作り、それ以外のフィーダのシリンダー側でブリスター柄の袋編部分を作り、スパン・ポリエステル糸で編成する。また、中糸（lay-in yarn）は袋編部分の中綿として挿入し、スパン・ポリエステル糸で編成する。
【００２０】
図１aは実施例１のバックグラウンド組織の編地分解図を示している。
【００２１】
第１フィーダでは、シリンダーのＢ針、Ｃ針をニットし、Ｄ針、Ｅ針をウエルトする。一方、ダイヤルのＣ針、Ｄ針をニットし、Ｅ針、Ｂ針をウエルトする。
【００２２】
第２フィーダでは、シリンダーのＤ針、Ｅ針をニットし、Ｂ針、Ｃ針をウエルトする。一方、ダイヤルのＥ針、Ｂ針をニットし、Ｃ針、Ｄ針をウエルトする。
【００２３】
第１フィーダと第２フィーダの間でシリンダーとダイヤルの羽口の間に中糸を挿入する。
【００２４】
第３フィーダでは、シリンダーのＣ針、Ｅ針をニットし、Ｂ針、Ｄ針をウエルトする。一方、ダイヤルの全ての針をウエルトする。
【００２５】
第４フィーダでは、シリンダーのＢ針、Ｅ針をニットし、Ｃ針、Ｄ針をウエルトする。一方、ダイヤルのＢ針、Ｃ針をニットし、Ｄ針、Ｅ針をウエルトする。
【００２６】
第５フィーダでは、シリンダーのＣ針、Ｄ針をニットし、Ｂ針、Ｅ針をウエルトする。一方、ダイヤルのＤ針、Ｅ針をニットし、Ｂ針、Ｃ針をウエルトする。
【００２７】
第４フィーダと第５フィーダの間でシリンダーとダイヤルの羽口の間に中糸を挿入する。
【００２８】
第６フィーダでは、シリンダーのＢ針、Ｄ針をニットし、Ｃ針、Ｅ針をウエルトする。一方、ダイヤルの全ての針をウエルトする。
【００２９】
第７フィーダでは、シリンダーのＤ針、Ｅ針をニットし、Ｂ針、Ｃ針をウエルトする。一方、ダイヤルのＥ針、Ｂ針をニットし、Ｃ針、Ｄ針をウエルトする。
【００３０】
第８フィーダでは、シリンダーのＢ針、Ｃ針をニットし、Ｄ針、Ｅ針をウエルトする。一方、ダイヤルのＣ針、Ｄ針をニットし、Ｅ針、Ｂ針をウエルトする。
【００３１】
第７フィーダと第８フィーダの間でシリンダーとダイヤルの羽口の間に中糸を挿入する。
【００３２】
第９フィーダでは、シリンダーのＣ針、Ｅ針をニットし、Ｂ針、Ｄ針をウエルトする。一方、ダイヤルの全ての針をウエルトする。
【００３３】
第１０フィーダでは、シリンダーのＣ針、Ｄ針をニットし、Ｂ針、Ｅ針をウエルトする。一方、ダイヤルのＤ針、Ｅ針をニットし、Ｂ針、Ｃ針をウエルトする。
【００３４】
第１１フィーダでは、シリンダーのＢ針、Ｅ針をニットし、Ｃ針、Ｄ針をウエルトする。一方、ダイヤルのＢ針、Ｃ針をニットし、Ｄ針、Ｅ針をウエルトする。
【００３５】
第１０フィーダと第１１フィーダの間でシリンダーとダイヤルの羽口の間に中糸を挿入する。
【００３６】
第１２フィーダでは、シリンダーのＢ針、Ｄ針をニットし、Ｃ針、Ｅ針をウエルトする。一方、ダイヤルの全ての針をウエルトする。
【００３７】
以後は、第1フィーダから第１２フィーダの編成方法を繰り返す。
【００３８】
図１ｂは実施例１のバックグラウンド組織に基づいてジャカード組織を出現させる編地分解図を示している。
【００３９】
第１フィーダでは、シリンダーのＢ針、Ｃ針をニットし、Ｄ針、Ｅ針をウエルトする。一方、ダイヤルのＣ針、Ｄ針をニットし、Ｅ針、Ｂ針をウエルトする。
【００４０】
第２フィーダでは、シリンダーのＤ針、Ｅ針をニットし、Ｂ針、Ｃ針をウエルトする。一方、ダイヤルのＥ針、Ｂ針をニットし、Ｃ針、Ｄ針をウエルトする。
【００４１】
第１フィーダと第２フィーダの間でシリンダーとダイヤルの羽口の間に中糸を挿入する。
【００４２】
第３フィーダでは、ジャガード組織を編む箇所のダイヤル針に対向したシリンダー針はウエルトし、それ以外の箇所のシリンダーのＣ針、Ｅ針をニットし、Ｂ針、Ｄ針をウエルトする。一方、ジャガード組織を編む箇所のダイヤルＢ針、Ｄ針をニットし、それ以外の箇所のダイヤルは全ての針をウエルトする。
【００４３】
第４フィーダでは、シリンダーのＢ針、Ｅ針をニットし、Ｃ針、Ｄ針をウエルトする。一方、ダイヤルのＢ針、Ｃ針をニットし、Ｄ針、Ｅ針をウエルトする。
【００４４】
第５フィーダでは、シリンダーのＣ針、Ｄ針をニットし、Ｂ針、Ｅ針をウエルトする。一方、ダイヤルのＤ針、Ｅ針をニットし、Ｂ針、Ｃ針をウエルトする。
【００４５】
第４フィーダと第５フィーダの間でシリンダーとダイヤルの羽口の間に中糸を挿入する。
【００４６】
第６フィーダでは、ジャガード組織を編む箇所のダイヤル針に対向したリンダー針はウエルトし、それ以外の箇所のシリンダーのＢ針、Ｄ針をニットし、Ｃ針、Ｅ針をウエルトする。一方、ジャガード組織を編む箇所のダイヤルＢ針、Ｄ針をニットし、それ以外の箇所のダイヤルは全ての針をウエルトする。
【００４７】
第７フィーダでは、シリンダーのＤ針、Ｅ針をニットし、Ｂ針、Ｃ針をウエルトする。一方、ダイヤルのＥ針、Ｂ針をニットし、Ｃ針、Ｄ針をウエルトする。
【００４８】
第８フィーダでは、シリンダーのＢ針、Ｃ針をニットし、Ｄ針、Ｅ針をウエルトする。一方、ダイヤルのＣ針、Ｄ針をニットし、Ｅ針、Ｂ針をウエルトする。
【００４９】
第７フィーダと第８フィーダの間でシリンダーとダイヤルの羽口の間に中糸を挿入する。
【００５０】
第９フィーダでは、ジャガード組織を編む箇所のダイヤル針に対向したリンダー針はウエルトし、それ以外の箇所のシリンダーのＣ針、Ｅ針をニットし、Ｂ針、Ｄ針をウエルトする。一方、ジャガード組織を編む箇所のダイヤルＢ針、Ｄ針をニットし、それ以外の箇所のダイヤルの全ての針をウエルトする。
【００５１】
第１０フィーダでは、シリンダーのＣ針、Ｄ針をニットし、Ｂ針、Ｅ針をウエルトする。一方、ダイヤルのＤ針、Ｅ針をニットし、Ｂ針、Ｃ針をウエルトする。
【００５２】
第１１フィーダでは、シリンダーのＢ針、Ｅ針をニットし、Ｃ針、Ｄ針をウエルトする。一方、ダイヤルのＢ針、Ｃ針をニットし、Ｄ針、Ｅ針をウエルトする。
【００５３】
第１０フィーダと第１１フィーダの間でシリンダーとダイヤルの羽口の間に中糸を挿入する。
【００５４】
第１２フィーダでは、ジャガード組織を編む箇所のダイヤル針に対向したリンダー針はウエルトし、それ以外の箇所のシリンダーのＢ針、Ｄ針をニットし、Ｃ針、Ｅ針をウエルトする。一方、ジャガード組織を編む箇所のダイヤルＣ針、Ｅ針をニットし、それ以外の箇所のダイヤルの全ての針をウエルトする。
【００５５】
以後は、第1フィーダから第１２フィーダの編成方法を繰り返す。
【００５６】
なお、以上の例では希望するジャガード柄をダイヤル側にブリスター柄をシリンダー側に出現させているが、ジャガード柄をシリンダー側にブリスター柄をダイヤル側に出現させてもよい。また、柄の左右を反転させてもよい。
【００５７】
図２ａは実施例１のバックグラウンド組織に基づいて編成した編地をシリンダー側とダイヤル側から見た柄展開図を示している。図２ｂは実施例１のジャガード組織に基づいて編成した編地をシリンダー側とダイヤル側から見た柄展開図を示している。図２ｂのダイヤル側に網掛けしたジャガード組織の位置は、図１ｂに記載したジャガード組織の位置に対応している。
【００５８】
図３は、実施例1の第１フィーダから第３フィーダまでの３本の糸を重ね合わしたジャガード組織を示す編地分解図である。このジャガード組織でのジャガード柄とブリスター柄の目数の比率を１：２となっており、ブリスター柄の袋編部分のふくらみが大きくなっている。
【００５９】
この実施例１の編地は、生地の外観が波打った現象が改善され、ダイヤル側の柄展開図に見られるように変則的な綾柄によって織物のようにコシが得られ、手触り感もしっかりした編組織で、手触りの柔らかいソフトな編地でマットレス・ティッキング用ジャカード編地には最適なものであった。
［比較例１］
【００６０】
比較例１も実施例１に記載した丸編機を使用して編成する。比較例１ではフィーダ２，６，１０・・・で、ブライト・ポリエステル糸で編成し、希望する柄をダイヤル側でジャガード柄を作り、それ以外のフィーダのシリンダー側でブリスター柄の袋編部分を作り、スパン・ポリエステル糸で編成する。また、中糸（lay-in yarn）は袋編部分の中綿として挿入し、スパン・ポリエステル糸で編成する。
【００６１】
図４aは比較例１のバックグラウンド組織を編成するときの編地分解図を示している。
【００６２】
第１フィーダでは、シリンダーのＢ針、Ｄ針をニットし、Ｃ針、Ｅ針をウエルトする。一方、ダイヤルは全ての針をニットする。
【００６３】
第２フィーダでは、シリンダーのＢ針、Ｄ針をニットし、Ｃ針、Ｅ針をウエルトする。一方、ダイヤルは全ての針をウエルトする。
【００６４】
第１フィーダと第２フィーダの間でシリンダーとダイヤルの羽口の間に中糸を挿入する。
【００６５】
第３フィーダでは、シリンダーのＣ針、Ｅ針をニットし、Ｂ針、Ｄ針をウエルトする。一方、ダイヤルは全ての針をニットする。
【００６６】
第４フィーダでは、シリンダーのＣ針、Ｅ針をニットし、Ｂ針、Ｄ針をウエルトする。一方、ダイヤルは全ての針をウエルトする。
【００６７】
以後は、第1フィーダから第４フィーダの編成方法を繰り返す。
【００６８】
図４ｂは比較例１のバックグラウンド組織に基づいてジャカード組織を出現させる編地分解図を示している。
【００６９】
第１フィーダでは、シリンダーのＢ針、Ｄ針をニットし、Ｃ針、Ｅ針をウエルトする。一方、第２フィーダでジャガード組織を編む箇所のダイヤル針はウエルトし、それ以外のダイヤルは全ての針をニットする。
【００７０】
第２フィーダでは、シリンダーのＢ針、Ｄ針をニットし、Ｃ針、Ｅ針をウエルトする。一方、ジャガード組織を編む箇所のダイヤルＣ針、Ｅ針をニットし、それ以外のダイヤルは全ての針をウエルトする。
【００７１】
第１フィーダと第２フィーダの間でシリンダーとダイヤルの羽口の間に中糸を挿入する。
【００７２】
第３フィーダでは、シリンダーのＣ針、Ｅ針をニットし、Ｂ針、Ｄ針をウエルトする。一方、第２フィーダでジャガード組織を編む箇所のダイヤル針はウエルトし、それ以外のダイヤルは全ての針をニットする。
【００７３】
第４フィーダでは、シリンダーのＣ針、Ｅ針をニットし、Ｂ針、Ｄ針をウエルトする。一方、ダイヤルは全ての針をウエルトする。
【００７４】
第５フィーダでは、シリンダーのＢ針、Ｄ針をニットし、Ｃ針、Ｅ針をウエルトする。一方、第６フィーダでジャガード組織を編む箇所のダイヤル針はウエルトし、それ以外のダイヤルは全ての針をニットする。
【００７５】
第６フィーダでは、シリンダーのＢ針、Ｄ針をニットし、Ｃ針、Ｅ針をウエルトする。一方、ジャガード組織を編む箇所のダイヤルＢ針、Ｄ針をニットし、それ以外のダイヤルは全ての針をウエルトする。
【００７６】
第５フィーダと第６フィーダの間でシリンダーとダイヤルの羽口の間に中糸を挿入する。
【００７７】
第７フィーダでは、シリンダーのＣ針、Ｅ針をニットし、Ｂ針、Ｄ針をウエルトする。一方、第６フィーダでジャガード組織を編む箇所のダイヤル針はウエルトし、それ以外のダイヤルは全ての針をニットする。
【００７８】
第８フィーダでは、シリンダーのＣ針、Ｅ針をニットし、Ｂ針、Ｄ針をウエルトする。一方、ダイヤルは全ての針をウエルトする。
【００７９】
以後は、第1フィーダから第８フィーダの編成方法を繰り返す。
【００８０】
図５ａは比較例１のバックグラウンド組織に基づいて編成した編地をシリンダー側とダイヤル側から見た柄展開図を示している。図５ｂは比較例１のジャガード組織に基づいて編成した編地をシリンダー側とダイヤル側から見た柄展開図を示している。
【００８１】
この比較例１の編地は、生地の外観が波打った現象が発生しており、マットレス・ティッキング用ジャカード編地には適さないものであった。
［比較例２］
【００８２】
比較例２も実施例１に記載した丸編機を使用して編成する。比較例２ではフィーダ２，６，１０・・・で、ブライト・ポリエステル糸で編成し、希望する柄をダイヤル側でジャガード柄を作り、それ以外のフィーダのシリンダー側でブリスター柄の袋編部分を作り、スパン・ポリエステル糸で編成する。また、中糸（lay-in yarn）は袋編部分の中綿として挿入し、スパン・ポリエステル糸で編成する。
【００８３】
図６aは比較例２のバックグラウンド組織を編成するときの編地分解図を示している。
【００８４】
第１フィーダでは、シリンダーのＢ針をニットし、Ｃ針、Ｄ針、Ｅ針をウエルトする。一方、ダイヤルのＤ針、Ｅ針をニットし、Ｂ針、Ｃ針をウエルトする。
【００８５】
第２フィーダでは、シリンダーのＢ針をニットし、Ｃ針、Ｄ針、Ｅ針をウエルトする。一方、ダイヤルのＢ針、Ｃ針をニットし、Ｄ針、Ｅ針をウエルトする。
【００８６】
第１フィーダと第２フィーダの間でシリンダーとダイヤルの羽口の間に中糸を挿入する。
【００８７】
第３フィーダでは、シリンダーのＢ針、Ｃ針、Ｄ針をニットし、Ｅ針をウエルトする。一方、ダイヤルの全ての針をウエルトする。
【００８８】
第４フィーダでは、シリンダーのＥ針をニットし、Ｂ針、Ｃ針、Ｄ針をウエルトする。一方、ダイヤルのＣ針、Ｄ針をニットし、Ｂ針、Ｅ針をウエルトする。
【００８９】
第５フィーダでは、シリンダーのＥ針をニットし、Ｂ針、Ｃ針、Ｄ針をウエルトする。一方、ダイヤルのＢ針、Ｅ針をニットし、Ｃ針、Ｄ針をウエルトする。
【００９０】
第４フィーダと第５フィーダの間でシリンダーとダイヤルの羽口の間に中糸を挿入する。
【００９１】
第６フィーダでは、シリンダーのＢ針、Ｃ針、Ｅ針をニットし、Ｄ針をウエルトする。一方、ダイヤルの全ての針をウエルトする。
【００９２】
第７フィーダでは、シリンダーのＤ針をニットし、Ｂ針、Ｃ針、Ｅ針をウエルトする。一方、ダイヤルのＢ針、Ｃ針をニットし、Ｄ針、Ｅ針をウエルトする。
【００９３】
第８フィーダでは、シリンダーのＤ針をニットし、Ｂ針、Ｃ針、Ｅ針をウエルトする。一方、ダイヤルのＤ針、Ｅ針をニットし、Ｂ針、Ｃ針をウエルトする。
【００９４】
第７フィーダと第８フィーダの間でシリンダーとダイヤルの羽口の間に中糸を挿入する。
【００９５】
第９フィーダでは、シリンダーのＢ針、Ｄ針、Ｅ針をニットし、Ｃ針をウエルトする。一方、ダイヤルの全ての針をウエルトする。
【００９６】
第１０フィーダでは、シリンダーのＣ針をニットし、Ｂ針、Ｄ針、Ｅ針をウエルトする。一方、ダイヤルのＢ針、Ｅ針をニットし、Ｃ針、Ｄ針をウエルトする。
【００９７】
第１１フィーダでは、シリンダーのＣ針をニットし、Ｂ針、Ｄ針、Ｅ針をウエルトする。一方、ダイヤルのＣ針、Ｄ針をニットし、Ｂ針、Ｅ針をウエルトする。
【００９８】
第１０フィーダと第１１フィーダの間でシリンダーとダイヤルの羽口の間に中糸を挿入する。
【００９９】
第１２フィーダでは、シリンダーのＣ針、Ｄ針、Ｅ針をニットし、Ｂ針をウエルトする。一方、ダイヤルの全ての針をウエルトする。
【０１００】
以後は、第1フィーダから第１２フィーダの編成方法を繰り返す。
【０１０１】
図６ｂは比較例２のバックグラウンド組織に基づいてジャカード組織を出現させる編地分解図を示している。
【０１０２】
第１フィーダでは、前フィーダでジャガード組織を編む箇所のシリンダーのＢ針、Ｄ針はニットし、Ｃ針、Ｅ針はウエルトし、それ以外のシリンダーのＢ針をニットし、Ｃ針、Ｄ針、Ｅ針をウエルトする。一方、前フィーダでジャガード組織を編む箇所のダイヤル針はウエルトし、それ以外のダイヤルのＤ針、Ｅ針をニットし、Ｂ針、Ｃ針をウエルトする。
【０１０３】
第２フィーダでは、第３フィーダでジャガード組織を編む箇所のシリンダーのＣ針、Ｅ針はニットし、Ｂ針、Ｄ針はウエルトし、それ以外のシリンダーのＢ針をニットし、Ｃ針、Ｄ針、Ｅ針をウエルトする。一方、第３フィーダでジャガード組織を編む箇所のダイヤル針はウエルトし、それ以外のダイヤルのＢ針、Ｃ針をニットし、Ｄ針、Ｅ針をウエルトする。
【０１０４】
第１フィーダと第２フィーダの間でシリンダーとダイヤルの羽口の間に中糸を挿入する。
【０１０５】
第３フィーダでは、シリンダーのジャガード組織を編む箇所のＣ針、Ｅ針をニットし、Ｂ針、Ｄ針はウエルトし、それ以外のシリンダーのＢ針、Ｃ針、Ｄ針をニットし、Ｅ針をウエルトする。一方、ダイヤルのジャガード組織を編む箇所のＢ針、Ｄ針をニットし、Ｃ針、Ｅ針をウエルトする。それ以外のダイヤルの全ての針をウエルトする。
【０１０６】
第４フィーダでは、第３フィーダでジャガード組織を編む箇所のシリンダーのＣ針、Ｅ針はニットし、Ｂ針、Ｄ針はウエルトし、それ以外のシリンダーのＥ針をニットし、Ｂ針、Ｃ針、Ｄ針をウエルトする。一方、第３フィーダでジャガード組織を編む箇所のダイヤル針はウエルトし、それ以外のダイヤルのＣ針、Ｄ針をニットし、Ｂ針、Ｅ針をウエルトする。
【０１０７】
第５フィーダでは、第６フィーダでジャガード組織を編む箇所のシリンダーのＢ針、Ｄ針はニットし、Ｃ針、Ｅ針はウエルトし、それ以外のシリンダーのＥ針をニットし、Ｂ針、Ｃ針、Ｄ針をウエルトする。一方、第６フィーダでジャガード組織を編む箇所のダイヤル針はウエルトし、それ以外のダイヤルのＢ針、Ｅ針をニットし、Ｃ針、Ｄ針をウエルトする。
【０１０８】
第４フィーダと第５フィーダの間でシリンダーとダイヤルの羽口の間に中糸を挿入する。
【０１０９】
第６フィーダでは、シリンダーのジャガード組織を編む箇所のＢ針、Ｄ針をニットし、Ｃ針、Ｅ針はウエルトし、それ以外のシリンダーのＢ針、Ｃ針、Ｅ針をニットし、Ｄ針をウエルトする。一方、ダイヤルのジャガード組織を編む箇所のＣ針、Ｅ針をニットし、Ｂ針、Ｄ針をウエルトする。それ以外のダイヤルの全ての針をウエルトする。
【０１１０】
第７フィーダでは、第６フィーダでジャガード組織を編む箇所のシリンダーのＢ針、Ｄ針はニットし、Ｃ針、Ｅ針はウエルトし、それ以外のシリンダーのＤ針をニットし、Ｂ針、Ｃ針、Ｅ針をウエルトする。一方、第６フィーダでジャガード組織を編む箇所のダイヤル針はウエルトし、それ以外のダイヤルのＢ針、Ｃ針をニットし、Ｄ針、Ｅ針をウエルトする。
【０１１１】
第８フィーダでは、第９フィーダでジャガード組織を編む箇所のシリンダーのＣ針、Ｅ針はニットし、Ｂ針、Ｄ針はウエルトする、それ以外のシリンダーのＤ針をニットし、Ｂ針、Ｃ針、Ｅ針をウエルトする。一方、第９フィーダでジャガード組織を編む箇所のダイヤル針はウエルトし、それ以外のダイヤルのＤ針、Ｅ針をニットし、Ｂ針、Ｃ針をウエルトする。
【０１１２】
第７フィーダと第８フィーダの間でシリンダーとダイヤルの羽口の間に中糸を挿入する。
【０１１３】
第９フィーダでは、シリンダーのジャガード組織を編む箇所のＣ針、Ｅ針をニットし、Ｂ針、Ｄ針をウエルトする。それ以外のシリンダーのＢ針、Ｄ針、Ｅ針をニットし、Ｃ針をウエルトする。一方、ダイヤルのジャガード組織を編む箇所のＢ針、Ｄ針をニットし、Ｃ針、Ｅ針をウエルトする。それ以外のダイヤルの全ての針をウエルトする。
【０１１４】
第１０フィーダでは、第９フィーダでジャガード組織を編む箇所のシリンダーのＣ針、Ｅ針はニットし、Ｂ針、Ｄ針はウエルトする、それ以外のシリンダーのＣ針をニットし、Ｂ針、Ｄ針、Ｅ針をウエルトする。一方、第９フィーダでジャガード組織を編む箇所のダイヤル針はウエルトし、それ以外のダイヤルのＢ針、Ｅ針をニットし、Ｃ針、Ｄ針をウエルトする。
【０１１５】
第１１フィーダでは、第１２フィーダでジャガード組織を編む箇所のシリンダーのＢ針、Ｄ針はニットし、Ｃ針、Ｅ針はウエルトする、それ以外のシリンダーのＣ針をニットし、Ｂ針、Ｄ針、Ｅ針をウエルトする。一方、第１２フィーダでジャガード組織を編む箇所のダイヤル針はウエルトし、それ以外のダイヤルのＣ針、Ｄ針をニットし、Ｂ針、Ｅ針をウエルトする。
【０１１６】
第１０フィーダと第１１フィーダの間でシリンダーとダイヤルの羽口の間に中糸を挿入する。
【０１１７】
第１２フィーダでは、シリンダーのジャガード組織を編む箇所のＢ針、Ｄ針をニットし、Ｃ針、Ｅ針をウエルトする、それ以外のシリンダーのＣ針、Ｄ針、Ｅ針をニットし、Ｂ針をウエルトする。一方、ダイヤルのジャガード組織を編む箇所のＣ針、Ｅ針をニットし、それ以外のダイヤルの全ての針をウエルトする。
【０１１８】
以後は、第1フィーダから第１２フィーダの編成方法を繰り返す。
【０１１９】
図７ａは比較例２のバックグラウンド組織に基づいて編成した編地をシリンダー側とダイヤル側から見た柄展開図を示している。図７ｂは比較例２のジャガード組織に基づいて編成した編地をシリンダー側とダイヤル側から見た柄展開図を示している。
【０１２０】
この比較例２の編地は手触り感がかなり粗く、マットレス・ティッキング用ジャカード編地には適さないものであった。
【０１２１】
最後に実施例１の編地と比較例１及び比較例２の編地の評価を表にして示す。
【表１】
2017089047.tif 000003
【図１ａ】
2017089047.tif 000004
【図１ｂ】
2017089047.tif 000005
【図２ａ】
2017089047.tif 000006
【図２ｂ】
2017089047.tif 000007
【図３】
2017089047.tif 000008
【図４ａ】
2017089047.tif 000009
【図４ｂ】
2017089047.tif 000010
【図５ａ】
2017089047.tif 000011
【図５ｂ】
2017089047.tif 000012
【図６ａ】
2017089047.tif 000013
【図６ｂ】
2017089047.tif 000014
【図７ａ】
2017089047.tif 000015
【図７ｂ】
2017089047.tif 000016